(57)【要約】【課題】足場構築体の足場床に開設された床開口部に設置可能な幅木装置を提供する。【解決手段】足場板の妻側に沿うＸ方向と桁側に沿うＹ方向に関して、足場構築体に形成された足場床のうち一方の支柱に臨んで足場板を欠如させることにより開口した床開口部(5)に設置する幅木装置であり、幅木装置(8)は、少なくとも床開口部のＸ方向に沿う妻側開口縁(5a,5b)に立設される幅木本体(9)を有すると共に、該幅木本体をＸ方向に伸縮自在な主幅木(10)と副幅木(11)により構成し、副幅木(11)を隣接する支柱(3a)に対して取付固定する固定具(12)を設けており、前記固定具(12)と副幅木(11)の相互に、固定具の取付位置をＸ方向に移動可能とする横向き調節手段(18)と、固定具の取付位置を上下方向に移動可能とする高さ調節手段(19)を設けている。【選択図】図３
2015031104.tif 000002
【特許請求の範囲】
【請求項１】
足場板の妻側に沿うＸ方向と桁側に沿うＹ方向に関して、Ｘ方向に横架材で連結された一対の支柱を１組として、１組の支柱をＹ方向に所定間隔をあけて配設すると共に、Ｘ方向に並設される複数の足場板を前記横架材に架設することによりＹ方向に延びる足場床を形成する足場構築体において、
足場床のうち一方の支柱に臨んで足場板を欠如させることにより開口した床開口部(5)に設置する幅木装置であり、
幅木装置は、少なくとも床開口部のＸ方向に沿う妻側開口縁(5a,5b)に立設される幅木本体(9)を有すると共に、該幅木本体をＸ方向に伸縮自在な主幅木(10)と副幅木(11)により構成し、副幅木(11)を隣接する支柱(3a)に対して取付固定する固定具(12)を設けており、
前記固定具(12)と副幅木(11)の相互に、固定具の取付位置をＸ方向に移動可能とする横向き調節手段(18)と、固定具の取付位置を上下方向に移動可能とする高さ調節手段(19)を設けて成ることを特徴とする足場構築体における床開口の幅木装置。
【請求項２】
前記幅木本体(9)は、床開口部のＹ方向に沿う桁側開口縁に向けて延びる延長手段(21)を連設しており、延長手段を足場構築体の構成部材に取付固定する第２固定具(22)を設けて成ることを特徴とする請求項１に記載の足場構築体における床開口の幅木装置。
【請求項３】
前記延長手段(21)は、Ｙ方向に伸縮自在な延長主幅木(24)と延長副幅木(25)から成る延長幅木(23)を構成して成ることを特徴とする請求項２に記載の足場構築体における床開口の幅木装置。
【請求項４】
前記延長手段(21)と幅木本体(9)の相互に、延長手段を上下方向に移動可能とする連設位置調節手段(30)を設けて成ることを特徴とする請求項２又は３に記載の足場構築体における床開口の幅木装置。
【請求項５】
前記幅木本体(9)と延長手段(21)は、相互に縦軸廻りに回動自在な枢結手段(26)により連設され、延長手段を幅木本体に合掌させたとき、幅木本体と延長手段を相互に嵌合させる凹部(32)を設けて成ることを特徴とする請求項２、３又は４に記載の足場構築体における床開口の幅木装置。
【発明の詳細な説明】
【技術分野】
【０００１】
本発明は、足場構築体において足場床に開設された床開口部に設置可能とした幅木装置に関する。
【背景技術】
【０００２】
建築現場や建設現場等に構築される仮設足場は、支柱を連結する横架材に足場板を搭載することにより足場床を提供する。この際、作業中に外部空間に向けて、作業者が使用する工具や作業用機材や、ボルト又はナットその他の物品が誤って落下する危険があるため、足場板の縁部に幅木（以下「汎用の幅木」という。）を設置することが望ましい。
【０００３】
ところで、足場構築体は、必要に応じて足場床に床開口部が開設される。例えば、床開口部に仮設階段等を設置することにより、作業者が上下階の足場床を往来するための便宜が図られる。
【０００４】
そこで、作業者が誤って床開口部から落下する危険を防止するため、床開口部に開口ガードとしての枠状手摺を設置する技術（特許文献１参照）や、階段を往来中の作業者の安全を図るため、階段手摺を設置する技術（特許文献２参照）等が提案されている。
【先行技術文献】
【特許文献】
【０００５】
【特許文献１】特開２００８−２３１８５３号公報
【特許文献２】特開２０１２−９２５５０号公報
【発明の概要】
【発明が解決しようとする課題】
【０００６】
しかしながら、外部空間に向けて物品が落下する危険は、上述の汎用の幅木により防止されているが、床開口部から物品が落下する危険は、何ら防止策がとられていないため、下階で作業中の作業者の安全が憂慮される。しかも、前記枠状手摺により保護が十分でない場合、足場床を往来する作業者が床開口部から落下する危険がある。
【０００７】
このため、床開口部にも専用の幅木を設けることが望ましいが、幅木として機能するための装置を実現するためには、種々の解決すべき課題がある。例えば、幅木の堅固な取付構造としては、幅木の固定具を足場構築体の支柱に取付固定することが好ましいが、支柱には、上述の汎用の幅木の端部が近接配置され、あるいは該幅木の金具等が固定されているので、固定具に干渉することにより取付けを困難とする。更に、アサガオの支持ブラケット等、支柱には固定具に干渉する種々の障害物が存在している。従って、床開口部に専用の幅木を支柱に取付固定するためには、このような支柱に既設の障害物を回避できる構成とする必要がある。
【０００８】
その他、床開口部の開口縁に幅木を取付けるためには、汎用の幅木からは想定されない多くの解決すべき課題がある。
【課題を解決するための手段】
【０００９】
本発明は、上記課題を解決した足場構築体における床開口部の幅木装置を提供するものであり、その手段として構成したところは、足場板の妻側に沿うＸ方向と桁側に沿うＹ方向に関して、Ｘ方向に横架材で連結された一対の支柱を１組として、１組の支柱をＹ方向に所定間隔をあけて配設すると共に、Ｘ方向に並設される複数の足場板を前記横架材に架設することによりＹ方向に延びる足場床を形成する足場構築体において、足場床のうち一方の支柱に臨んで足場板を欠如させることにより開口した床開口部に設置する幅木装置であり、幅木装置は、少なくとも床開口部のＸ方向に沿う妻側開口縁に立設される幅木本体を有すると共に、該幅木本体をＸ方向に伸縮自在な主幅木と副幅木により構成し、副幅木を隣接する支柱に対して取付固定する固定具を設けており、前記固定具と副幅木の相互に、固定具の取付位置をＸ方向に移動可能とする横向き調節手段と、固定具の取付位置を上下方向に移動可能とする高さ調節手段を設けて成る点にある。
【００１０】
本発明の好ましい実施形態において、前記幅木本体は、床開口部のＹ方向に沿う桁側開口縁に向けて延びる延長手段を連設しており、延長手段を足場構築体の構成部材に取付固定する第２固定具を設けている。
【００１１】
前記延長手段は、Ｙ方向に伸縮自在な延長主幅木と延長副幅木から成る延長幅木を構成することが好ましい。
【００１２】
この際、前記延長手段と幅木本体の相互に、延長手段を上下方向に移動可能とする連設位置調節手段を設けることが好ましい。
【００１３】
前記幅木本体と延長手段は、相互に縦軸廻りに回動自在な枢結手段により連設され、延長手段を幅木本体に合掌させたとき、幅木本体と延長手段を相互に嵌合させる凹部を設けていることが好ましい。
【発明の効果】
【００１４】
本発明によれば、足場床に形成された床開口部５の妻側開口縁５ａ、５ｂに沿って幅木装置８を取付ることができるので、該床開口部５から物品が落下することを防止し、下階の足場床における作業者の安全に寄与することができ、しかも、足場床を往来する作業者が該床開口部５から落下する危険を防止し、足場作業の安全に資することができる。
【００１５】
特に、幅木装置８は、Ｘ方向（妻方向）に伸縮自在な主幅木１０と副幅木１１により構成しているので、妻側開口縁５ａ、５ｂの長さに応じて全長を調節可能なだけでなく、更に、固定具１２と副幅木１１の相互に、横向き調節手段１８と高さ調節手段１９を設けているので、該固定具１２を取付固定する支柱３ａに種々の障害物が添設されている場合でも、該障害物を回避するように固定具１２の位置を縦横に移動調節することにより、常に支柱３ａに好適に取付固定できる効果がある。
【００１６】
そして、請求項２に記載の本発明によれば、幅木本体９から床開口部５の桁側開口縁に向けて延びる延長手段２１を設け、該延長手段２１に設けた第２固定具２２を足場構築体の構成部材に取付固定する構成であるから、全体としてＬ形の形態とした状態で幅木装置８の両端を堅固に取付固定することが可能になる。
【００１７】
この際、請求項３に記載の本発明によれば、延長手段２１がＹ方向（桁方向）に伸縮自在な延長幅木２３を構成しているので、床開口部５の桁側開口縁から物品が落下することを好適に防止できると共に、伸縮自在な延長手段２１の第２固定具２２を所望の位置で確実に取付固定することが可能になる。
【００１８】
請求項４に記載の本発明によれば、前記延長幅木２３は、連設位置調節手段３０により上下位置を調節することができるので、床開口部５の桁側開口縁に対してレベルを好適に沿わせることが可能であり、幅木としての機能を発揮できる。
【００１９】
更に、請求項５に記載の本発明によれば、幅木装置８を使用しないときは、延長幅木２３を幅木本体９に格納することにより、コンパクトに保管・運搬することができるという効果がある。
【図面の簡単な説明】
【００２０】
【図１】本発明の幅木装置が取付けられる床開口部の１例を示す斜視図である。
【図２】本発明の１実施形態に係る幅木装置を床開口部の一方の妻側開口縁に取付固定した設置例を示す斜視図である。
【図３】本発明の１実施形態に係る幅木装置を床開口部の他方の妻側開口縁に取付固定した設置例を示す斜視図である。
【図４】幅木装置の構成部材を分解状態で示す斜視図である。
【図５】幅木装置を一方の側面から示しており、（Ａ）は幅木本体と延長手段を展開した状態を示す斜視図、（Ｂ）は幅木本体と延長手段を合掌することにより格納した状態を示す斜視図である。
【図６】幅木装置を他方の側面から示す斜視図である。
【発明を実施するための形態】
【００２１】
以下図面に基づいて本発明の好ましい実施形態を詳述する。
【００２２】
図１は、仮設された足場構築体に関して、本発明の幅木装置が取付けられる床開口部の１例を示している。
【００２３】
足場構築体は、足場板１の妻側に沿うＸ方向と桁側に沿うＹ方向に関して、Ｘ方向に横架材２で連結された一対の支柱３ａ、３ｂを１組として、１組の支柱をＹ方向に所定間隔をあけて配設すると共に、連結材４で連結することにより構築され、隣り合う横架材２、２に任意の複数枚の足場板１をＸ方向に並設した状態で架設することにより、Ｙ方向に延びる足場床が形成されている。尚、図面は、楔緊結形式の足場を示しているが、本発明の幅木装置を設置する足場構築体は、楔緊結形式足場と枠組足場の何れであるかを問わないことを諒解されたい。
【００２４】
そこで、足場板１の架設に際し、足場床のうち一方の支柱３ａに臨んで足場板を欠如させることにより、床開口部５が開設されている。図例の場合、床開口部５は、足場構築体の外部空間に臨む個所に形成され、従って、床開口部５の三方に配置された足場板１により、妻側開口縁５ａ、５ｂと桁側開口縁が区成されている。
【００２５】
図例の場合、床開口部５は、作業者が上下階の足場床を往来する便宜のために形成され、図示省略しているが、床開口部５の下側には下階の足場床に連絡される仮設の階段が設置されている。この際、床開口部５の桁側の開口縁には、開口ガードとしての枠状手摺６を設置することが好ましい。尚、枠状手摺６は、隣り合う横架材２、２に架設されるフレーム６ａと縦桟６ｂ等により構成されている。
【００２６】
床開口部５の妻側開口縁５ａ、５ｂに臨む足場板１の側縁には、汎用の幅木７が設けられており、床開口部５に臨む支柱３ａには、該幅木７の固定具や、アサガオの支持ブラケット、その他の障害物が添設されているのが通例である。
【００２７】
ところで、本発明の床開口部５に取付固定する幅木装置８は、床開口部５の相互に対向する一対の妻側開口縁５ａ、５ｂの両方に関して選択的に取付可能とすることが好ましい。つまり、一方の妻側開口縁５ａが階段の連絡路とされている場合、幅木装置８は、図２に示すように、他方の妻側開口縁５ｂに設ける必要があり、反対に、他方の妻側開口縁５ｂが階段の連絡路とされている場合、幅木装置８は、図３に示すように、一方の妻側開口縁５ａに設ける必要がある。従って、本発明の実施形態において、幅木装置８は、天地を逆とするように反転するだけで、妻側開口縁５ａ、５ｂの何れにも選択的に取付可能となるように構成されている。
【００２８】
図４ないし図６に示すように、幅木装置８は、少なくとも妻側開口縁５ａ、５ｂに沿って立設される幅木本体９を備えており、該幅木本体９は、Ｘ方向に伸縮自在な主幅木１０と副幅木１１により構成され、妻側開口縁５ａ、５ｂに臨む支柱３ａに対して副幅木１１を取付固定するための固定具１２を設けている。
【００２９】
図例の場合、主幅木１０と副幅木１１は、相互に摺動自在に嵌合され、スリット等の摺動案内手段１３と蝶ボルト・ナット等の係着自在手段１４により任意の摺動位置で固定可能とされている。図例の場合、主幅木１０は、所定の上下幅を有する断面ほぼＣ形の金属板により形成され、副幅木１１は、前記主幅木の上下幅にほぼ等しい横断面ほぼＵ形とされた金属板により形成されており、主幅木１０に副幅木１１を摺動自在に外嵌させ、前記スリットから成る案内手段１３を副幅木１１の上下縁に沿って形成している。
【００３０】
前記固定具１２は、金属板等によりフック部１５とアーム部１６を一体に形成している。フック部１５は、支柱３ａをＸ方向から掴持するように副幅木１１からＹ方向に偏位して配置され、支柱３ａを掴持する一対のフックを上下に設けると共に、掴持状態で支柱３ａを緊締する蝶ボルトから成る緊締手段１７を備えている。
【００３１】
アーム部１６は、副幅木１１の先端部の一方の側面に取付けられ、該アーム部１６と副幅木１１の相互に、取付位置をＸ方向、つまり、副幅木１１の伸縮方向と同方向に移動可能とする横向き調節手段１８と、上下方向に移動可能とする高さ調節手段１９を設けている。図示実施形態の場合、図４に示すように、アーム部１６にＸ方向のスリットから成る横向き移動案内手段１８ａを設けると共に、副幅木１１の先端近傍部に上下方向のスリットから成る縦向き移動案内手段１９ａを設け、両スリット（横向き移動案内手段１８ａ及び縦向き移動案内手段１９ａ）を重ね合わせた状態で、貫通する蝶ボルト・ナット等の係着自在手段２０により任意の移動調節位置で固定可能とするように構成している。従って、係着自在手段２０を緩めることにより、固定具１２のアーム部１６を横方向と高さ方向に同時に移動調節できる利点があり、係着自在手段２０を締結することにより、調節位置の固定具１２を横方向と高さ方向の両方向に同時に固定できる利点がある。
【００３２】
因みに、図６に示すように、固定具１２は、アーム部１６に設けられたフック部１５が幅木本体９の延長線に対して距離Ｌで示すようにＹ方向にオフセットされており、これにより、図２及び図３に示すように、固定具１２を支柱３ａに取付固定した状態で、幅木本体９を足場板１の妻側の側縁の上に設置することができるように構成している。
【００３３】
幅木装置８は、主幅木１０と副幅木１１を所望の長さとなるように伸縮させ固定した状態で、床開口部５の妻側開口縁５ａ、５ｂに沿わせ、前記固定具１２のフック部１５により支柱３ａに取付固定される。この際、支柱３ａの反対側において、主幅木１０を足場構築体の構成部材に対して任意の方法で固定すれば良いが、図示実施形態の場合、幅木本体１０に床開口部５のＹ方向に沿う桁側開口縁に向けて延びる延長手段２１を連設し、該延長手段２１を足場構築体の構成部材に取付固定する第２固定具２２を設けている。
【００３４】
延長手段２１は、単なる固定手段のみならず、延長幅木２３を構成することが好ましく、このため、Ｙ方向に伸縮自在な延長主幅木２４と延長副幅木２５から成り、延長副幅木２５の延長端に第２固定具２２を設けている。
【００３５】
延長幅木２３は、幅木本体９の主幅木１０に縦軸廻りに回動自在な枢結手段２６により連設されている。この際、枢結手段２６は、延長幅木２３を幅木本体に９に対して、少なくとも、図５（Ａ）に示す直角に交差する展開位置と、図５（Ｂ）に示す合掌した格納位置との間で回動可能に枢結している。
【００３６】
図４に示すように、枢結手段２６は、幅木本体９の主幅木１０に設けられる第１軸受ブラケット２７と、延長幅木２３の基端部に固着された第２軸受ブラケット２８を軸部材２９により軸支する構成とされ、第１軸受ブラケット２７と主幅木１０の相互に、上下方向に移動可能な連設位置調節手段３０を設けている。図例の場合、主幅木１０に上下方向に延びる長孔を形成し、第１軸受ブラケット２７から前記長孔を挿通するボルトと該ボルトに螺着される蝶ナットにより係着自在手段３１を構成している。従って、係着自在手段３１を緩めることにより第１軸受ブラケット２７と共に延長幅木２３を上下方向に移動調節することが可能であり、調節後は、係着自在手段３１を締結することにより調節位置を固定することができる。尚、連設位置調節手段３０は、図示の場合、第１軸受ブラケット２７に設けているが、第２軸受ブラケット２８と延長幅木２３の相互に設けても良く、更には第１軸受ブラケット２７と第２軸受ブラケット２８の間に設けても良い。
【００３７】
図５（Ｂ）に示すように延長幅木２３の延長主幅木２４と延長副幅木２５を収縮させた状態で、幅木本体９に合掌させたとき、相互に嵌合させられる凹部３２が設けられている。図示実施形態の場合、延長幅木２３の上下幅が幅木本体９の上下幅よりも小さく形成されており、主幅木１０に対して副幅木１１を最も収縮させた状態で、主幅木１０が延長幅木２３を受入可能とする凹部３２を形成し、受入状態で幅木本体９の厚さから延長幅木２３が大きく突出せず、コンパクトに格納されるように構成している。
【００３８】
このように延長幅木２３を凹部３２に嵌入した状態で、嵌入状態を係脱自在に係止する係止手段３３が設けられている。図例の場合、係止手段３３は、延長副幅木２５の自由端に回動自在に設けられると共にスプリングにより引き込み方向に付勢されたフックボルト３４と、主幅木１０に形成された長孔３５により構成されている。従って、幅木本体９と延長幅木２３を合掌した状態で、係止手段３３を係止する際は、フックボルト３４をスプリングに抗して押し出し、フック部を長孔３５に挿通させると共に、該フックボルト３４を回動させ、スプリングの引き込み力により長孔３５の周囲に係止させれば良い。反対に、係止手段３３の係止を解除する際は、フックボルト３４を回動することにより長孔３５から引き抜けば良い。
【００３９】
延長幅木２３を伸縮自在とする構成は、任意に設計することが可能であるが、図例の場合、それぞれ金属板により形成した延長主幅木２４に延長副幅木２５を摺動自在に嵌入し、スリット等の摺動案内手段３６と蝶ボルト・ナット等の係着自在手段３７により伸縮手段を構成している。
【００４０】
延長幅木２３の第２固定具２２は、床開口部５の桁側開口縁に位置する足場構築体の任意の構成部材に取付固定可能なものであれば良いが、図示実施形態の場合、枠状手摺６の縦桟６ｂをＸ方向から掴持する溝形部材３８と、掴持状態で縦桟６ｂを緊締する蝶ボルトから成る緊締手段３９により構成している。
【００４１】
上記のように構成した幅木装置８は、図２及び図３に示すように、床開口部５の妻側開口縁５ａ、５ｂに沿って設置される。この際、幅木本体９のＸ方向の長さは、主幅木１０に対して副幅木１１を伸縮させ、係着自在手段１４により固定することにより、所望の長さとなるように設定される。例えば、汎用の幅木７が設置されている場合は、該幅木７に副幅木１１の先端が当接又は近接する長さとなるように伸縮させる等、副幅木１１の先端が所望の位置に合致するように伸縮させれば良い。
【００４２】
そして、固定具１２は、横向き調節手段１８と高さ調節手段１９により、フック部１５の位置を自在に移動調節することにより、支柱３ａに添設された障害物を回避した状態で、Ｘ方向から支柱３ａに取付固定することが可能である。
【００４３】
従って、これにより床開口部５の妻側開口縁５ａ、５ｂに幅木本体９が設置され、物品が該妻側開口縁から床開口部５の下方に落下することを防止すると共に、足場床を往来する作業者の落下を防止することができる。因みに、作業者の落下防止のため、幅木本体９の上下幅（高さ）は、汎用の幅木７よりも大きく形成することが好ましく、１５０ｍｍ以上（図例の場合は２３０ｍｍ）に形成している。
【００４４】
枢結手段２６を介して幅木本体９に対して直交姿勢となるように展開した延長幅木２３は、連設位置調節手段３０により、床開口部５の桁側開口縁にレベルが合致するように上下位置を調節され、係着自在手段３１により固定される。更に、延長主幅木２４に対して、摺動案内手段３６を介して延長副幅木２５を伸縮させることにより、第２固定具２２を所望の位置決め状態として、枠状手摺６の縦桟６ｂに取付固定する。
【００４５】
図示のように、幅木本体９及び延長幅木２３から成る幅木装置８は、上下中央部から上半部と下半部がほぼ対称となるように形成されており、これにより、天地を逆とするように反転するだけで、対向する一対の妻側開口縁５ａ、５ｂの何れにも選択的に取付可能とされている。
【００４６】
そして、幅木装置８を使用しないときは、延長幅木２３を幅木本体９に格納することにより、コンパクトに保管・運搬することができる。
【符号の説明】
【００４７】
１  足場板
２  横架材
３ａ、３ｂ  支柱
４  連結材
５  床開口部
５ａ、５ｂ  妻側開口縁
６  枠状手摺
６ａ  フレーム
６ｂ  縦桟
７  汎用の幅木
８  幅木装置
９  幅木本体
１０  主幅木
１１  副幅木
１２  固定具
１３  摺動案内手段
１４  係着自在手段
１５  フック部
１６  アーム部
１７  緊締手段
１８  横向き調節手段
１８ａ  横向き移動案内手段
１９  高さ調節手段
１９ａ  縦向き移動案内手段
２０  係着自在手段
２１  延長手段
２２  第２固定具
２３  延長幅木
２４  延長主幅木
２５  延長副幅木
２６  枢結手段
２７  第１軸受ブラケット
２８  第２軸受ブラケット
２９  軸部材
３０  連設位置調節手段
３１  係着自在手段
３２  凹部
３３  係止手段
３４  フックボルト
３５  長孔
３６  摺動案内手段
３７  係着自在手段
３８  溝形部材
３９  緊締手段
【図１】
2015031104.tif 000003
【図２】
2015031104.tif 000004
【図３】
2015031104.tif 000005
【図４】
2015031104.tif 000006
【図５】
2015031104.tif 000007
【図６】
2015031104.tif 000008